(57)【特許請求の範囲】
【請求項１】
身体が収納される溝を有する収納体の両側壁内面の少なくともいずれか一方に身体を押圧するためのエアセルを備えたマッサージ機において、
前記エアセルは、第１エアセルと、第１エアセルより幅狭であって第１エアセルとは独立して膨張可能な第２エアセルとを重ねて身体長手方向における膨張度が異なるように構成されていることを特徴とするマッサージ機。
【請求項２】
前記第２エアセルの幅は、第１エアセルの幅の半分程度であることを特徴とする請求項１記載のマッサージ機。
【請求項３】
請求項１又は２記載のマッサージ機は、前記溝に脚又は腕が収納される脚又は腕用マッサージ機であって、
前記第２エアセルは、足首又は手首よりの位置で重ねられている。
【請求項４】
前記第２エアセルは、前記第１エアセルの背面側に設けられていることを特徴とする請求項１〜３のいずれかに記載のマッサージ機。
【請求項５】
請求項１〜４のいずれかに記載のマッサージ機は、前記溝に脚又は腕が収納される脚又は腕用マッサージ機であって、
前記第２エアセルを膨張させて足首又は手首付近を左右両側から挟持固定した状態で、前記第１エアセルを膨張させて当該第１エアセルによって脚又は腕を押圧する。
【請求項６】
請求項１〜５のいずれかに記載のマッサージ機は、前記溝に脚又は腕が収納される脚又は腕用マッサージ機であって、
前記溝の底面部には、第３エアセルが配置され、前記第２エアセルを膨張させて足首又は手首付近を左右両側から挟持固定した状態で前記第１エアセルを膨張させ、この第１エアセルの膨張で脚又は腕を挟持固定した状態で前記第３エアセルを膨張させる。
【請求項７】
前記第２エアセルの幅は、第１エアセルの幅の半分程度であって、２つの第２エアセルが並設して第１エアセルと重ねて構成されていることを特徴とする請求項１記載のマッサージ機。
【請求項８】
第２エアセルは複数設けられていることを特徴とする請求項１記載のマッサージ機。
【発明の詳細な説明】
【０００１】
【発明の属する技術分野】
本発明は、マッサージ機に関するものである。
【０００２】
【従来の技術】
従来より、空気の給排気により膨張収縮するエアセルによって身体を押圧してマッサージする空気式のマッサージ機が知られている。
このような空気式のマッサージ機としては、脚が収納される溝の左右両側壁にエアセルを設けて、脚を左右両側から押圧するものがある。
【０００３】
【発明が解決しようとする課題】
脚をエアセルで押圧する場合、脚は、例えば、ふくらはぎと足首とでは太さが全く異なるので、エアセルは脚の長手方向における膨張度が異なるのが好ましい。
本発明は、かかる観点に着目してなされたものであり、身体が収納される溝を有する収納体の両側壁内面の少なくともいずれか一方に身体を押圧するためのエアセルを備えたマッサージ機において、エアセルの身体の長手方向における膨張度が異なるようにするための構造を提供することを目的とする。
【０００４】
【課題を解決するための手段】
本発明は、上記目的達成のため、次の技術的手段を採用した。すなわち、本発明の特徴は、身体が収納される溝を有する収納体の両側壁内面の少なくともいずれか一方に身体を押圧するためのエアセルを備えたマッサージ機において、前記エアセルは、第１エアセルと、第１エアセルより幅狭であって第１エアセルとは独立して膨張可能な第２エアセルとを重ねて身体長手方向における膨張度が異なるように構成されている点にある。
【０００５】
また、前記第２エアセルの幅は、第１エアセルの幅の半分程度であるのが好ましい。
さらに、前記マッサージ機は、前記溝に脚又は腕が収納される脚又は腕用マッサージ機であって、前記第２エアセルは、足首又は手首よりの位置で重ねられているのが好適である。
さらにまた、前記第２エアセルは、前記第１エアセルの背面側に設けられているのが好適である。
【０００６】
また、前記マッサージ機は、前記溝に脚又は腕が収納される脚又は腕用マッサージ機であって、前記第２エアセルを膨張させて足首又は手首付近を左右両側から挟持固定した状態で、前記第１エアセルを膨張させて当該第１エアセルによって脚又は腕を押圧するのが好適である。
あるいは、前記マッサージ機は、前記溝に脚又は腕が収納される脚又は腕用マッサージ機であって、前記溝の底面部には、第３エアセルが配置され、前記第２エアセルを膨張させて足首又は手首付近を左右両側から挟持固定した状態で前記第１エアセルを膨張させ、この第１エアセルの膨張で脚又は腕を挟持固定した状態で前記第３エアセルを膨張させるのが好適である。
【０００７】
また、前記第２エアセルの幅は、第１エアセルの幅の半分程度であって、２つの第２エアセルが並設して第１エアセルと重ねて構成されているのが好適である。あるいは、前記第２エアセルは複数設けられているのが好適である。
また、ここで開示する他の発明の特徴は、基部を揺動支点として揺動可能に支持された揺動体をエアセルの膨張収縮動作で駆動して揺動体の揺動動作によりマッサージ作用を発生させるマッサージ機において、前記揺動体は、身体に沿って湾曲できるように可撓性を有している点にある。
【０００８】
この構成によれば、揺動体をエアセルで駆動するので、揺動動作を伴うマッサージが可能である。しかも、揺動体を身体に沿って湾曲できる可撓性を有するものとしたので、エアセルの膨張により揺動体自体が湾曲して身体に沿って身体を圧迫するので、エアセルで直接圧迫する場合のような面圧迫を得られる。
前記前記揺動体は、可撓性を有する合成樹脂板材より構成するのが好適である。この場合、前記揺動支点は、合成樹脂板材の基部を樹脂ヒンジとしたものとすると、簡単に揺動支点が構成でき好適である。
【０００９】
また、前記揺動体に、身体に接触する面にクッション性を有する発泡合成樹脂製のマッサージ子を取り付けると、身体へのフィット性が向上し好ましい。
さらに、前記揺動体は、エアセルの膨張時に互いに近接揺動するように対をなして対向して設けられているのが好適である。この場合、対の揺動体の間に身体の部位、例えば、首、腕、脚、を位置させて近接揺動によりマッサージを行うことができる。
特に、脚を対の揺動体の間に置いて脚を左右両側からマッサージする脚（肢体）用マッサージ機とするのが好適である。
【００１０】
また、前記対の揺動体は、椅子型マッサージ装置の座部前側に設けられた脚載部に設けられ、脚を対の揺動体の間に置いて脚を左右両側からマッサージするように構成されているのが好適である。
この場合、左脚用の対の揺動体と右脚用の対の揺動体とが、並設されていれば、両脚をそれぞれマッサージすることができる。
また、前記揺動体は、脚の長手方向における湾曲度が異なるように変形可能であるのが好ましい。
【００１１】
脚は、例えば、ふくらはぎと足首とでは太さが全く異なるので、脚の長手方向における湾曲度が異なるように変形可能な揺動体であれば、足首の部分に対しては大きく変形し、ふくらはぎの部分に対しては小さく変形することで、脚の長手方向の形状変化に沿った形で押圧することができる。
また、このような揺動体の変形を助けるために、前記エアセルは脚の長手方向における膨張度が異なるように膨張可能であるのが好ましい。
長手方向膨張度を異ならせるには、例えば、前記エアセルを脚の長手方向に複数設け、各エアセルを独立して膨張可能としておけばよい。つまり、あるエアセルを膨張させ、他のエアセルを非膨張とすることで膨張度を長手方向に異ならせることができる。またエアセルを脚長手方向に複数設けるには、単に複数のエアセルを並設してもよいが、前記揺動体の脚長手方向の幅とほぼ等しい幅を有する第１エアセルと、第１エアセルより幅狭の第２エアセルとを重ねて配置するのが好適である。
【００１２】
この場合、第１エアセルによって、揺動体を長手方向にわたって全体的に揺動・湾曲させることが可能であり、さらに重ねられた第２エアセルによって大きく湾曲させたい部分を追加的に揺動・湾曲させることができる。また、第２エアセルだけを膨張させることにより、部分的な揺動・湾曲も実現できる。なお、第２エアセルは、１つでも複数でもよい。
また、前記第２エアセルの幅は、第１エアセルの幅の半分程度であるのが好適である。さらに、前記第２エアセルは、細いために大きな揺動・湾曲の必要な足首よりの位置で前記第１エアセルと重ね合わされているのが好ましい。
【００１３】
また、前記第２エアセルは、第１エアセルを挟んで前記揺動体を揺動させるように第１エアセルの背面側に設けられているのが好適である。この場合、第２エアセルの膨張で第１エアセルの膨張状態を変形させることができる。例えば、第１エアセルが膨張した状態で第２エアセルを膨張させると、第１エアセルが脚に沿うように変形してフィット感が向上する。
また、第２エアセルを足首付近に配置した場合には、前記第２エアセルを膨張させて足首付近を左右両側から挟持固定した状態で、前記第１エアセルを膨張させて前記揺動体幅方向ほぼ全体で脚を押圧するのが好適である。
【００１４】
ふくらはぎのような太い部分に対して、左右両側から押圧する場合、押圧により脚が上方に逃げてしまう場合があるが、足首は細いので揺動体が足首を上方から押しつけるようになり脚は逃げにくい。これを利用して、先に第２エアセルを膨張させて比較的細い足首を挟持しておいて、第１エアセルを膨張させると、脚は第２エアセルによって固定されているので、脚を逃がすことなく第１エアセルで脚を押圧することができる。なお、第１エアセルの膨張が終了する前に第２エアセルの収縮を開始してもよい。
【００１５】
さらに、対の揺動体の間に、脚の裏側を押圧する第３エアセルを配置しておき、前記第２エアセルを膨張させて足首付近を左右両側から挟持固定した状態で前記第１エアセルを膨張させ、この第１エアセルの膨張で前記揺動体幅方向ほぼ全体で脚を挟持固定した状態で、前記第３エアセルを膨張させると、脚の確実な固定を図った上で第３エアセルによる脚裏側押圧が可能となる。
なお、本発明のマッサージ機は、腕（特に、前腕）を対の揺動体の間において腕を左右両側からマッサージする腕用マッサージ機とすることもできる。この場合、以上及び以下の説明で「脚」として説明した点は「腕」又は「前腕」と、「足首」として説明した点は「手首」と、「ふくらはぎ」として説明した点は「前腕の肘近傍部分」と読み替えることができ、脚の場合と同様の作用を奏する。なお、前腕用の場合は、揺動体は、肘の下から手首の間を押圧できる幅に形成しておくのが好適である。
【００１６】
【発明の実施の形態】
以下、本発明の実施形態を図面に基づいて説明する。図１は、椅子型マッサージ装置１を示している。この椅子型マッサージ装置１は、背もたれ部２と座部３とを有しており、座部３の前側に脚載部５を備えて構成されている。
前記背もたれ部２の内部には、背もたれ部高さ方向に昇降自在な背中マッサージ部（図示省略）が設けられており、首から腰の範囲をマッサージすることができる。また、この背もたれ部２は、図示しないリクライニング機構によりリクライニング可能である。
【００１７】
前記座部３には、空気の給排気により膨張収縮するエアセル（図示省略）が配置されており、エアセルの膨張収縮によりお尻から太ももの範囲をマッサージすることができる。なお、座部３のエアセルと脚載部５のエアセル（後述）に圧縮空気を供給するためのポンプは座部３の下側に配置されている。
前記脚載部５は、図２に示すように、脚載基体６の上に脚を入れるための溝７が形成された脚収納体８が左右に２つ間隔をおいて並設されて主構成されている。
【００１８】
脚載基体６は、図２において手前側が座部３の前部と左右方向の回動軸（図示省略）回りに回動自在に取り付けられている。なお、脚載基体６は、図１のように座部３の座面に対して直交するような位置から、回動軸回りに上昇して座部３の座面とほぼ平行になる位置まで移動するための脚載部５昇降機構（図示省略）を備えている。
脚収納体８は、底面部９と、この底面部９の左右両側から立ち上がった左右の側壁１０，１０とを有して、底面部９と左右両側壁１０，１０とで前記溝７が形成されている。この溝７は、その長手方向長さが使用者の脚のふくらはぎから足首の範囲が入る程度の長さに形成されている。各脚収納体には、揺動体１２や揺動体１２を駆動するためのエアセル２１，２２等が設けられ、脚載部５は、脚用のマッサージ機とされている。
【００１９】
なお、図２に示す脚載部５は、全体が伸縮性に優れたカバーによって覆われ、揺動体１２等が露出しないようにして図１のように座部３に取り付けられている。
脚収納体８には、図３に示すような揺動体１２が取り付けられている。この揺動体１２は、可撓性を有する薄い合成樹脂板材により形成されている。合成樹脂板材としては、発泡ポリプロピレンをシート状に形成したものが可撓性に優れ、柔軟であるので好ましい。
【００２０】
この揺動体１２は、脚収納体８の側壁１０内面とほぼ同じかやや小さい面積を有する薄い板材として形成されている。揺動体１２の基部である下端部は脚収納体８に固定される固定部１４とされている。固定部１４は、固定部材１５と脚収納体８の底面部９とで挟み込まれ、固定部材１５をピン１６又はネジなどで脚収納体８に固定することで取り付けられる。
揺動体１２の固定部１４より上部範囲が脚を押圧する押圧部１７とされている。押圧部１５は脚収納体８に固定されていないので、揺動体１２は固定部１４を揺動支点として、固定部１４乃至固定部近傍が樹脂ヒンジ１８となってこれを揺動支点として揺動可能となっている。なお、樹脂ヒンジ１８は、押圧部１７を脚収納体８の側壁１０側に付勢する付勢部材も兼ねている。
【００２１】
なお揺動支点としては、脚収納体８に回動軸を設け、この回動軸に揺動体を枢着しておいてもよい。この場合は、揺動体１２を側壁１０側に付勢するための付勢部材（バネ等）を設けるのが好適である。
押圧部１５の脚と対向する面には、発泡合成樹脂製のマッサージ子１９が取り付けられている。この発泡合成樹脂としては発泡ウレタン（ウレタンフォーム）が好ましい。マッサージ子１９は、クッション性に優れているので、脚の凹凸に沿ったフィット感が向上する。
【００２２】
図３に示す揺動体１２は、図２及び図４に示すように、各脚収納体８の両側壁１０，１０の内面にそれぞれ対向して設けられ、対をなしている。両側壁１０，１０は、互いの左右間隔が足首側は狭く、ふくらはぎ側は広くなるように先細り状に形成されており、各揺動体１２，１２はこれら側壁１０，１０とほぼ平行に設けられている。
揺動体１２と側壁１０との間には、空気の給排気で膨張収縮する第１エアセル２１が設けられている。この第１エアセル２１は、側壁１０又は揺動体１２の脚長手方向の幅とほぼ等しい幅に形成されている。したがって、第１エアセル２１は脚の足首からふくらはぎの範囲で膨張可能である。
【００２３】
また、第１エアセル２１の背面、すなわち第１エアセル２１と側壁１０の間には、空気の給排気で膨張収縮する第２エアセル２２が設けられている。この第２エアセル２２は、第１エアセル２１より幅狭で、第１エアセル２１のほぼ半分の幅に形成されている。
この第２エアセル２２は、第１エアセル２１と脚長手方向一方側（足首側）の範囲で重ね合わされている。また、第２エアセル２２はその略全体が第１エアセル２１と重ね合わされている。したがって、溝７の脚長手方向他方側（ふくらはぎ側）では、第１エアセル２１による膨張作用しかないのに対して、溝７の脚長手方向一方側では、第１エアセル２１と第２エアセル２２の双方の膨張作用が得られ、膨張度を大きくすることが可能である。なお、図２及び図４の第１エアセル２１と第２エアセル２２とはいずれも収縮した状態が示されている。このように、第１エアセル２１と第２エアセル２２は収縮した状態で偏平であり、空気が供給されることにより大きく膨張する。
【００２４】
本実施形態で開示されている発明は、身体（特に、腕、脚、首）が収納される溝７を有する収納体８の両側壁１０，１０内面の少なくともいずれかに一方に身体を押圧するためのエアセルを備えたマッサージ機において、上記のような第１エアセル２１と第２エアセル２２の配置を採用したものである。また、溝に前腕を収納する場合には、第２エアセルは手首側に配置するのが好適である。また、溝は、椅子型マッサージ機の座部の左右両側に設けられた肘かけに形成するのが好適である（肘かけが収納体となる）。
【００２５】
図４〜６に示すように、底面部９には、第３エアセル２３が配置されている（図２では省略）。第３エアセル２３は、溝の長手方向に２つ（複数）並設されており、一方の第３エアセル２３は、足首付近の裏側を押圧するためのものであり、他方の第３エアセル２３は、ふくらはぎ付近の裏側を押圧するためのものである。これらの第３エアセル２３，２３には、揺動体は設けられていない。
図５は、ふくらはぎＬ１を押圧する部分の脚収納体８断面図を示しており、左右の第１エアセル２１が膨張すると、対の揺動体１２が互いに近接するように揺動し、さらに揺動体１２は、脚の形状に沿って湾曲して揺動体１２が脚を包み込むように押圧が行われる。なお、図５では、揺動体１２の固定部１４近傍は脚の形状に沿った変形が生じていないが、第１エアセル２１による適度な力が加われば、この部分も脚の形状に沿うような湾曲変形が生じて、より脚にフィットし、包み込むようなマッサージ感が向上する。
【００２６】
さらに、第３エアセル２３を膨張させるとふくらはぎの裏側も押圧され、脚のほぼ全周を押圧することができる。
図６は、足首Ｌ２を押圧する部分の脚収納体８断面図を示している。足首Ｌ２に対しては、第１エアセル２１の他、第２エアセル２２も膨張して、膨張度が大きくなり、揺動体１２がより大きく揺動・湾曲させられている。このため、ふくらはぎＬ１より細い足首Ｌ２に対しても十分な押圧力が加わる。なお、このとき、揺動体１２は、ふくらはぎ付近より足首付近の方が湾曲度が大きい。
【００２７】
図７〜図１０は、第１エアセル２１と第２エアセル２２の膨張収縮の仕方の例を模式的に示している。なお、これらの図においてマッサージ子１９は省略されている。図７は、第１及び第２エアセル２１，２２がともに収縮している状態を示している。この状態で脚を溝７に入れることができる。
図８は、第１エアセル２１を収縮状態で第２エアセル２２を膨張させた状態を示している。この場合、第２エアセル２２が膨張しているので、揺動体１２の足首側は、脚に近づくように揺動・湾曲が生じている。また、揺動体１２のふくらはぎ側も、第２エアセル２２の膨張によって、ある程度、揺動・湾曲が生ずる。このように揺動体１２は、脚の長手方向における湾曲度が異なるように変形可能であるので、足首に対応する第２エアセル２２を膨張させた場合にも、ふくらはぎの範囲まで広い範囲で押圧が可能となる。さらに、押圧力の分布として、足首付近が最も強く、ふくらはぎ側に行くに従って徐々に弱くなるという分布が得られる。これは、足首付近の広い範囲をじわりと揉むのに適している。
【００２８】
図９は、第１エアセル２１を膨張状態で、第２エアセル２２を収縮させた状態を示している。この場合、足首からふくらはぎの範囲にかけて、揺動体１２を揺動・湾曲させることができる。なお、図９では、揺動体１２が脚長手方向に直線的であるが、実際に脚にマッサージを施す場合には、脚の形状にそって湾曲が生ずる。
図１０は、第１エアセル２１及び第２エアセルをともに膨張状態とした場合を示している。この場合、足首は、図８や図９の場合のより更に強く押圧され、細い足首の部分のエアセル膨張度が高いの脚へのフィット性が向上する。
【００２９】
なお、第２エアセル２２は、第１エアセル２１と揺動体２１の間に設けることもできる。ただし、本実施形態のように第２エアセル２２を第１エアセル２１の背面に設けると、図１０のように膨張した第１エアセル２１自体を脚の形状にそって変形させることができ、脚へのフィット性が優れている。
第１エアセル２１、第２エアセル２２、第３エアセル２３の膨張収縮制御手順としては、例えば、まず各第２エアセル２２を膨張させ、膨張状態を維持したまま各第１エアセル２１を膨張させ、第１エアセル２１の膨張状態も維持したまま、第３エアセル２３を膨張させるということができる（以下、これを「第１制御手順」という）。また、先ず各第２エアセル２２を膨張させ、膨張状態を維持したまま、各第１エアセル２１の膨張を開始させ、第１エアセル２１の膨張完了後又は完了前に第２エアセル２２を収縮させ、第１エアセルの膨張を維持したまま第３エアセル２３を膨張させるということができる（以下、これを「第２制御手順」という）。
【００３０】
これらの制御手順のように、第１又は第２エアセル２１，２２を膨張させた状態で、脚の裏側を押圧する第３エアセル２３を膨張させると、第１又は第２エアセル２２で脚の左右両側を挟んで固定して脚が溝７から逃げないようにしておいて、脚の裏側を押圧することができる。
さらに、第１及び第２制御手順では、最初に第２エアセル２２を膨張させているので、脚の挟み込みが確実にできる。すなわち、左右のエアセルで脚を挟んだ場合、足首は細いので（溝の下方に足首が位置するので）、図６に示すように、溝７上方から脚を押さえつけた状態で挟み込むことができるのに対し、ふくらはぎは太いので、脚を上方から押さえつける作用が小さくなり、脚が溝７上方へ逃げてしまうことがある。
【００３１】
したがって、第１エアセル２１を第２エアセル２２より先に膨張させると、第１エアセル２１は、ふくらはぎの部分で脚を上方に逃がしてしまうおそれがあり、第３エアセル２３による押圧のための脚の固定ができない場合がある。
そこで、第１及び第２制御手順のように、足首を押圧する第２エアセル２２を先に膨張させることで、足首の位置において脚を左右から挟み込んで確実に固定することができる。この状態で、さらに第１エアセル２１を膨張させると、脚が上方に逃げることなく足首からふくらはぎの範囲全部を挟んで固定することができる。
【００３２】
そして、第１制御手順では、第１エアセル２１が膨張したときに第２エアセル２２も膨張しているので、ハードに足首を押圧できる。また、第２制御手順では、第１エアセル２１が膨張したときに第２エアセル２２は収縮しているので、第１制御手順に比べてソフトなマッサージ感が得られる。
なお、以上のような制御は、エアセルへの給排気を切り替えるための切替弁をマイクロコンピュータ等からなる制御部から発生する信号で自動制御することによって実現可能である。
【００３３】
図１１は、第１エアセル２１及び第２エアセル２２の配置の第１変形例を示している。この第１変形例では、第２エアセル２２が２つ設けられている。２つの第２エアセル２２は、第１エアセル２１の背面（第１エアセル２１と側壁１０の間）において並設されている。各第２エアセル２２，２２は別個に独立して膨張収縮可能とされており、各第２エアセル２２，２２単独で、又は各第２エアセル２２が第１エアセル２１とともに膨張することができる。また、両第２エアセル２２を同時に膨張させることもできる。
【００３４】
図１２は、第１エアセル２１及び第２エアセル２２の配置の第２変形例を示している。この第２変形例では、第１エアセル２１及び第２エアセル２２は、溝７の両側壁１０，１０の片側の側壁１０だけに設けられている。すなわち、第１エアセル２１及び第２エアセル２２は、溝７，７にそれぞれ入れられる脚の外側から押圧すべく、左側脚収納体８（左側の溝７）の左側の側壁１０の内面と、右側脚収納体８（右側の溝７）の右側の側壁１０の内面に設けられている。この第２変形例でも、第２エアセル２２は２つ設けられているが、第１変形例に比べてエアセルの数が少ないのでエア配管等を簡素化できる。
【００３５】
これらの第１エアセル２１及び第２エアセル２２は、空気が供給されて膨張することにより外側から脚を押圧し、脚の内側をエアセルの設けられていない側壁１０，１０に押し付ける。このため、エアセルが溝両側壁１０，１０の片側にしか設けられていなくても、脚は外側と内側の両方から押し付けられ、あたかも溝両側壁１０，１０の双方にエアセルを設けているかのように、脚を挟み込んで押圧する。
なお、溝両側壁１０，１０のうちの片側の側壁１０に設けられたエアセル２１，２２の膨張で脚を反対側の側壁１０に押し付けることができるように、溝７の左右幅は第１変形例より狭くなっている。具体的には、エアセルが設けられていない方の側壁１０が第１変形例より肉厚に形成されている。
【００３６】
図１３は、第１エアセル２１及び第２エアセル２２の配置の第３変形例を示している。この第３変形例でも、第１エアセル２１及び第２エアセル２２は、溝７の両側壁１０，１０の片側の側壁１０だけに設けられている。ここでは、第１エアセル２１及び第２エアセル２２は、溝７，７にそれぞれ入れられる脚の内側から押圧すべく、左側脚収納体８（左側の溝７）の右側の側壁１０の内面と、右側脚収納体８（右側の溝７）の左側の側壁１０の内面に設けられている。この第３変形例におけるその他の構成及び作用は第２変形例と共通する。
【００３７】
図１４は、第１エアセル２１及び第２エアセル２２の配置の第４変形例を示している。この第４変形例では、第２エアセル２２は、第１エアセル２１の背面側ではなく、第１エアセル２１の正面側に設けられている。言い換えれば、第２エアセル２２と側壁１０の間に第１エアセルが設けられている。
図１５は、第１エアセル２１及び第２エアセル２２の配置の第５変形例を示している。この第５変形例では、第２エアセル２２は、３つ設けられている。このように第２エアセル２２は、１又は２つだけでなく３つ以上設けることができる。第２エアセル２２の数を増加させると各第２エアセル２２によってより局所的に押圧することが可能となる。しかも、局所的な押圧を行う複数の第２エアセル２２に、当該第２エアセルより大きな第１エアセル２１を重ねて配置しているので広範囲な押圧も可能である。
【００３８】
つまり、第１エアセル２１の範囲内において、第１エアセル２１より小さい１又は複数の第２エアセルを重ねておくことで、第１エアセル２１の範囲で広範囲な押圧が可能であるし、第２エアセル２２を膨張させれば局所的な押圧も可能であるため、身体に対し広範囲の押圧と局所的な押圧の双方を選択的に施すことができる。
なお、図１１〜図１５に示す第１変形例〜第５変形例において揺動体１２は省略されているが、図２〜図１０のように揺動体１２を設けてもよい。また、第１変形例〜第５変形例において説明を省略した点は、図１〜図１０に示すマッサージ機と同様である。
【００３９】
本発明は、上記実施形態に限定されるものではない。例えば、本発明のマッサージ機は、椅子型マッサージ装置に取り付けられているものの他、椅子型マッサージ装置とは別体の独立した脚載台に設けても良い。
【００４０】
【発明の効果】
本発明によれば、エアセルとして、第１エアセルと、第１エアセルより幅狭であって第１エアセルとは独立して膨張可能な第２エアセルとを重ねて身体長手方向における膨張度が異なるように構成されているので、エアセルの身体の長手方向における膨張度が異ならせることができる。
【図面の簡単な説明】
【図１】椅子型マッサージ装置の斜視図である。
【図２】脚載台の斜視図（カバー無し）である。
【図３】可撓性を有する揺動体の斜視図である。
【図４】脚載台を構成する１つの脚収納体の平面図である。
【図５】図４のＶ−Ｖ線断面図である。
【図６】図４のＶＩ−ＶＩ線断面図である。
【図７】第１エアセルと第２エアセルが収縮した状態の模式図である。
【図８】第１エアセルが収縮し、第２エアセルが膨張した状態の模式図である。
【図９】第１エアセルが膨張し、第１エアセルが収縮した状態の模式図である。
【図１０】第１エアセルと第２エアセルが収縮した状態の模式図である。
【図１１】第１変形例に係る脚収納体の平面図である。
【図１２】第２変形例に係る脚収納体の平面図である。
【図１３】第３変形例に係る脚収納体の平面図である。
【図１４】第４変形例に係る脚収納体の平面図である。
【図１５】第５変形例に係る脚収納体の平面図である。
【符号の説明】
１  椅子型マッサージ装置
３  座部
５  脚載部（脚用マッサージ機）
１９  マッサージ子
２１  第１エアセル
２２  第２エアセル
２３  第３エアセル
【図１】
0004083994.tif 000002
【図２】
0004083994.tif 000003
【図３】
0004083994.tif 000004
【図４】
0004083994.tif 000005
【図５】
0004083994.tif 000006
【図６】
0004083994.tif 000007
【図７】
0004083994.tif 000008
【図８】
0004083994.tif 000009
【図９】
0004083994.tif 000010
【図１０】
0004083994.tif 000011
【図１１】
0004083994.tif 000012
【図１２】
0004083994.tif 000013
【図１３】
0004083994.tif 000014
【図１４】
0004083994.tif 000015
【図１５】
0004083994.tif 000016